(57)【特許請求の範囲】
【請求項１】
第１のクランプ部材と、前記第１のクランプ部材と組み合わされた第２のクランプ部材とを有する、製本機用のブッククランプであって、
前記第２のクランプ部材に連結された、しなやかな第１のばね板を有しており、前記第２のクランプ部材が押圧板を有しており、前記しなやかな第１のばね板は、前記第２のクランプ部材の前記押圧板上に取り付けられていることを特徴とする、ブッククランプ。
【請求項２】
前記しなやかな第１のばね板が、前記第２のクランプ部材の前記押圧板にねじ止めされている、請求項１記載のブッククランプ。
【請求項３】
前記しなやかな第１のばね板が、前記第２のクランプ部材の前記押圧板にリベット止めされている、請求項１記載のブッククランプ。
【請求項４】
前記しなやかな第１のばね板が、湾曲した断面形状を有している、請求項１記載のブッククランプ。
【請求項５】
前記しなやかな第１のばね板が、凹状の断面形状を有している、請求項４記載のブッククランプ。
【請求項６】
前記しなやかな第１のばね板が、多角形状の断面形状を有している、請求項４記載のブッククランプ。
【請求項７】
前記しなやかな第１のばね板の他に、前記第２のクランプ部材に取り付けられたしなやかな第２のばね板を有している、請求項１記載のブッククランプ。
【請求項８】
前記しなやかな第２のばね板は、前記しなやかな第１のばね板とは異なる寸法および形状である、請求項７記載のブッククランプ。
【請求項９】
前記ばね板が第１および第２の縁を有しており、前記しなやかな第１および第２のばね板は、前記第２のクランプ部材の前記第１の縁に、同一の取り付け点で取り付けられている、請求項７記載のブッククランプ。
【発明の詳細な説明】
【０００１】
【発明の属する技術分野】
本発明は、一般に製本機のブッククランプに関し、特に、全長にわたって様々な厚さの冊子本を挟む必要がある場合に適したブッククランプに関する。
【０００２】
【従来の技術】
小冊子、雑誌、定期刊行物等のような冊子本を製本する技術にあっては、クランプを使用することはよく知られており、この場合、接着材を背に施すことによって枚葉紙または折り丁の製本作業工程を行うために、複数の枚葉紙または折り丁を保持する目的で、事前に丁合いを行った枚葉紙または折り丁の束から構成される冊子本を挟むためにクランプが用いられる。枚葉紙または折り丁は、製本機に沿ってこれらの枚葉紙または折り丁が搬送されるように固定式で保持され、この際に、完全な冊子本を適切に製本するために複数の必要な工程が行われる。
【０００３】
【発明が解決しようとする課題】
この種のクランプは、例えば米国特許第３７０２１２９号によって知られている。この公報は、無端式チェーンによって経路に沿って駆動される結合された複数のブッククランプを有する製本機を開示している。このクランプの各々は、内部のクランプアセンブリへ向かって水平方向に延びる軸線に沿って、揺動可能な状態で取り付けられた外側のクランプアセンブリを有している。しかしながら、例えば、冊子本の枚葉紙または折り丁と同じ長さでない、冊子本に付け足される別丁により盛り上がり、ある冊子本の長さに沿う厚さがわずかに変化している場合には、これらのクランプでは対応できない。
【０００４】
したがって、本発明の目的は、ブッククランプ、特に、挟まれる冊子本の部分の厚さが色々と変わっても、挟まれる冊子本部分の全体の長さにわたって十分な締付け力を与える、製本機で用られるブッククランプを提供することである。
【０００５】
【課題を解決するための手段】
第１の態様によると、本発明は、第１のクランプ部材と、第１のクランプ部材に組み合わせられた第２のクランプ部材とを有する、製本機用のブッククランプを有し、この第２のクランプ部材は、この第２のクランプ部材に連結されたしなやかな第１のばね板を有している製本機用のブッククランプである。
【０００６】
本発明の他の態様によると、製本機のブッククランプは、第１のクランプ部材と、前記第１のクランプ部材に連結された第２のクランプ部材とを有しており、第２のクランプ部材は、この第２のクランプ部材に取り付けられたしなやかな第１および第２のばね板を有している。
【０００７】
本ブッククランプの第２のクランプ部材にしなやかなばね板を取り付けることによって、冊子本の枚葉紙または折り丁よりも小さいサイズの別丁によって主に生じることがある、冊子本の全長にわたる厚さのわずかな変化に、締付け力を合わせることが可能になる。さらに、このばね板の形状は、背長さに対して垂直に２つの点で接触するようになっており、この２つの点による接触は、摩擦によるグリップ力を著しく増大させ、その結果、クランプの冊子本を引き上げるために先端で必要とされる引っ張り力が向上する。
【０００８】
【発明の実施の形態】
次に、本発明の実施の形態について図面を参照して説明する。
【０００９】
図面、特に図１についてさらに詳細に参照すると、本発明によるブッククランプは、第１のクランプ部材１０と第２のクランプ部材１２とを含むものであってもよく、この第２のクランプ部材１２、第１のクランプ部材１０上に支軸点１４で揺動可能に取り付けられている。外側クランプ部材とも称することができる第２のクランプ部材１２は、押圧板１６を有している。ばね板１８が、第２のクランプ部材１２上に、好ましくは押圧板１６上に取り付けられている。複数の枚葉紙または折り丁から構成されてもよい冊子本２０が、第１のクランプ部材１０、すなわちいわゆる内側クランプ部材と、第２のクランプ部材１２との間に挟まれており、この場合、外側の第２のクランプ部材１２は、冊子本２０に直接に接触せず、ばね板１８を介して接触している。ばね板１８が外側の第２のクランプ部材１２に取り付けられるので、外側のクランプ部材１２の一部であってもよい、または、外側のクランプ部材１２に連結された押圧板１６にばね板１８を取り付けることが有利である。
【００１０】
図２を参照すると第２のクランプ部材１２の概略側面図が示されている。第２のクランプ部材１２は、クランプ部材１２自身の一部であってもよい、または第２のクランプ部材１２に取り付けてもよい押圧板１６を有している。ばね板ｌ８は、冊子本２０に面する押圧板１６の端に取り付けられている。ばね板１８は、断面が凸状であり、その結果、点２２、２４で冊子本２０に接触している。別丁２６が存在しているために、冊子本２０は、距離Ａで示される領域の厚さが増大している。ばね板１８が冊子本２０を挟むとき、ばね板１８は、冊子本２０に点２２、２４で接触する。矢印Ｂで示される方向に第２のクランプ部材１２が移動することによって冊子本２０に対する圧力が増大すると、接触している点２２、２４での圧力が増大する。したがって、冊子本２０に加えられる圧力は、冊子本２０の厚さや、冊子本２０のｙまたはｚ方向に沿う厚さのいかなる変化にも無関係である。したがって、しなやかなばね板を第２のクランプ部材１２に取り付けることによって、冊子本２０のｙまたはｚ方向に厚さがどのように変化しても補正できる。
【００１１】
図３は、ブッククランプの第２のクランプ部材１２の概略斜視図を示している。第２のクランプ部材１２は、実質的に断面が凹状であるが縁２８、３０では凸状に曲げられたしなやかなばね板１８を有している。このわずかに凸状を呈する縁は、冊子本を挟む工程の間に、冊子本２０にいかなるマーキングまたは損傷を与えることを防止する。ばね板１８は、リベットまたはねじのような、好ましくは沈みねじまたは皿ねじのような固定具３２によって第２のクランプ部材１２に取り付けてもよい。
【００１２】
図４に示された本発明の他の実施形態では、しなやかなばね板１８は、例えば多角形断面形状のような他の断面形状を有していてもよい。この多角形状は、例えば区域Ｃ、Ｄ、Ｅ、Ｆ、Ｇによって示されるような複数の直線状の部分から構成されている。しかしながら、重要なことは、この多角形状の様々な部分は、第２のクランプ部材１２へ凹状に取り付けられるしなやかなばね板１８を形成するように相互につながっているということである。
【００１３】
本発明の他の実施形態が図５に示されている。前述の例で示されたばね板１８は、通常、リベットまたはねじのような固定具３２によって押圧板１６に取り付けられ、この場合、これらの固定具３２は、ばね板１８の中央に取り付けられることが好ましい。その結果、これらの固定具３２は、ある条件下では紙に接触して、ある種の望ましくないマーキングが紙に生じる原因となることもある。したがって、固定具３２が紙に接触することがないように、押圧板１６をこの押圧板１６の縁でばね板に固定すると有利である。しかし、十分な締付け力を発生させる必要があるので、クランプ板を冊子本２０に押圧する際には、２本のラインで冊子本２０に接触させるのが有利である。この目的のために、図５に示すように、第１および第２のばね板３４、３６は、押圧板１６の縁４２上に取り付けられている。この第１および第２のばね板３４、３６は、リベットまたは皿ねじのような複数の固定具３２によって押圧板１６上に取り付けられている。両ばね板３４、３６は、角部３８から角部４０へ至る線に沿って曲げられている。
【００１４】
図６に示すように、第１のばね板３４は、押圧板１６の表面１３と第１のばね板３４との間で角度αをなすように押圧板１６に取り付けられている。第２のばね板３６は、押圧板１６および第２のばね板３６の表面１３が角度αよりも大きい角度βで配置されるように押圧板１６に取り付けられている。角度αの範囲は４５°よりも小さく、好ましくは３０°よりも小さく、最も好ましくは１°〜１０°である。βの範囲は、６０°よりも小さく、好ましくは４０°よりも小さく、最も好ましくは２°〜１５°である。
【００１５】
冊子本２０が、２つのばね板３４、３６を有する押圧板１６へ押圧されているとき、図６の断面図に示すように、冊子本２０の両ばね板３４、３６に点Ｈと点Ｉで接触する。したがって、本発明のこの実施形態では、挟まれる冊子本２０に押圧板１６が２本のラインで接触することが可能になり、またその結果として、所望の締付け力を得ることができる。
【００１６】
上述のしなやかなばね板のいずれも、任意の適切な材料、すなわち例えば、ポリエチレン、ポリプロピレン、ポリスチロールなどのプラスチック、または湾曲した薄鋼板のような金属で作ることができる。既に上述したように、しなやかなこれらのばね板は、連結されてもよく、特にリベットまたはねじによって第２のクランプ部材に取り付けられてもよい。少なくとも２つのしなやかなばね板が１つのクランプ部材上に取り付けられている本発明の実施形態では、しなやかな第１および第２のばね板は、異なる寸法、すなわち形状を有していることが好ましく、また、例えばこれら両ばね板に対し１つの取付け点で同じねじまたはリベットを用いて、第２のクランプ部材１２に同じ取付け点で取り付けられることが好ましい。第１および第２のばね板の圧縮力は、所望の材料を用いることによって、または、各ばね板の厚さを様々に選択することによって調節することが可能である。また、通常、このばね板の一方は他方よりも短い。この短い方のばね板は、より短いモーメントアームを有するので、厚さがより薄いことを要する。
【００１７】
さらに分析を行わなくても前述の説明は、本発明の要旨は十分に概説しているので、当業者は、従来技術の観点から本発明の包括的または特定の態様の本質的特徴を明確に構成する特徴をそのまま用いることなく様々な用途に対し現時点の知識を容易に適用できるものであり、したがって、このような適用は、本特許請求の範囲の同等の趣旨内および範囲内に含まれるべきものであり、また含まれるものである。
【図面の簡単な説明】
【図１】本発明のブッククランプを示す概略側面図である。
【図２】本ブッククランプにおける第２のクランプ部材の押圧板を示す概略側面図である。
【図３】本ブッククランプの第２のクランプ部材を示す概略斜視図である。
【図４】しなやかなばね板の適用可能な形状を示す概略断面図である。
【図５】第２の実施形態におけるブッククランプの第２のクランプ部材を示す斜視図である。
【図６】他の実施形態における第２のクランプ部材を示す概略断面図である。
【符号の説明】
１０    第１のクランプ部材
１２    第２のクランプ部材
１４    支軸点
１６    押圧板
１８    ばね板
２０    冊子本
２２    接触する点
２４    接触する点
２６    別丁
２８    縁
３０    縁
３２    固定具
３４    ばね板
３６    ばね板
３８    角部
４０    角部
４２    押圧板の縁
【図１】
0004582603.tif 000002
【図２】
0004582603.tif 000003
【図３】
0004582603.tif 000004
【図４】
0004582603.tif 000005
【図５】
0004582603.tif 000006
【図６】
0004582603.tif 000007